(57)【特許請求の範囲】
【請求項１】
電柱（３）に取り付けられる電柱ボックス（１）であって、
収納スペースを有するボックス本体（４）と、
前記ボックス本体（４）の側方に開閉自在に取り付けられる扉（５）と、
前記ボックス本体（４）と電柱（３）の側方の両側に突設された各ステップボルト（６）とを接続するために前記ボックス本体（４）に取り付けられる支持アーム（７）と、を備え、
前記ボックス本体（４）には、前記電柱（３）の背面側に対応する逃がし部（８）が形成され、前記ボックス本体（４）が前記ステップボルト（６）（６）よりも前面側に突出するのを防止すべく、前記ボックス本体（４）の前面を、前記ステップボルト（６）（６）よりも背面側に配置して前記電柱（３）に取り付けられることを特徴とする電柱ボックス。
【請求項２】
前記ボックス本体（４）と電柱（３）との間には、胴綱を巻回させることができる隙間（ｓ）が形成されることを特徴とする請求項１に記載の電柱ボックス。
【請求項３】
前記隙間（ｓ）が安定に保持された状態で前記ボックス本体（４）が電柱（３）に固定されるべく、電柱（３）に当接する受け部材（９）をボックス本体（４）の前面に突設されることを特徴とする請求項２に記載の電柱ボックス。
【請求項４】
前記逃がし部（８）が、電柱（３）の曲面に沿うように平面視で略Ｒ状に形成されることを特徴とする請求項１乃至３の何れか１項に記載の電柱ボックス。
【発明の詳細な説明】
【技術分野】
【０００１】
本発明は、電柱ボックスに係り、例えば、箒や塵取り、ホース等の清掃用具や烏よけのネット等の環境保全用具類を収納するために電柱に取り付けられる用具収納用のボックスに関する。
【背景技術】
【０００２】
路側に立設される電柱に取り付けられる付設物として緊急用組立標識が提案されている（例えば、特許文献１参照）。これは、バンド金具等によって電柱の前面側に付設される箱型の収納容器に折り畳み式の緊急標識を収納し、緊急事態が発生した時には、収納容器から緊急標識を取り出して使用することができ、また現場で標示内容を変更することもでき、かつ、不要になると緊急標識を折り畳んで収納容器内に収納できるようにしたものである。
【０００３】
【特許文献１】特開平１１−３３６０２９号公報
【発明の開示】
【発明が解決しようとする課題】
【０００４】
しかし、上述の緊急用組立標識では、収納容器が電柱の前面側に両側へ張り出すように突出しており、しかも、収納容器の蓋部が電柱の前面側に開放するように構成されているので、蓋部を開放すると通行人の障害になることがあり公衆の安全が阻害されるという問題があった。また、収納容器はバンド金具等によって電柱に固定されるので収納容器と電柱の間に隙間がないため、作業者が電柱に登る際に、その収納容器のある部分では胴綱を電柱に巻き付けることができないという問題があった。
【０００５】
ところで、このような電柱に取り付けられる収納容器の用途として、箒や塵取り、ホース等の清掃用具や烏よけのネット等の環境保全用具類を収納するための用具収納ボックス（自治会用電柱ボックス）が考えられる。上述のような収納容器を、このような用途に使用しようとすると収納スペースが少ないため、大型化しなければならない。しかし、大型化すると公衆の安全がより一層阻害されてしまう。
【０００６】
また、上述のように、収納容器をバンド金具等によって電柱に取り付ける場合、作業者は、収納容器を取り付ける際に電柱の背面側にまわらなければならない。しかし、路側に立設される電柱では、その背面側に住宅の塀や壁等が迫っている場合が多いため、電柱の背面側にまわらなくても収納容器を容易に取り付けられることが望ましい。
【０００７】
本発明は、このような実情に鑑みてなされ、作業者が電柱の背面側にまわらなくても取付作業ができ、かつ、通行人の障害にならないように取り付けられる電柱ボックスを提供することを目的とする。
【０００８】
また、本発明は、電柱との間に胴綱を巻回するための隙間が形成されるようにすることをも目的とし、さらに、箒や塵取り、ホース等の清掃用具や烏よけのネット等の環境保全用具類をできるだけ多く収納できる充分なスペースを確保できるようにすることをも目的とする。
【課題を解決するための手段】
【０００９】
本発明の電柱ボックスは、電柱３に取り付けられる電柱ボックス１であって、収納スペースを有するボックス本体４と、前記ボックス本体４の側方に開閉自在に取り付けられる扉５と、前記ボックス本体４と電柱３の側方の両側に突設された各ステップボルト６とを接続するために前記ボックス本体４に取り付けられる支持アーム７と、を備え、前記ボックス本体４には、前記電柱３の背面側に対応する逃がし部８が形成され、前記ボックス本体４が前記ステップボルト６，６よりも前面側に突出するのを防止すべく、前記ボックス本体４の前面を、前記ステップボルト６，６よりも背面側に配置して前記電柱３に取り付けられることを特徴とする。
【００１０】
このような構成によれば、ボックス本体４に形成された逃がし部８を電柱３に対応させて、ボックス本体４の前面を電柱３の両側に突設されているステップボルト６，６よりも背面側に配置して、そのボックス本体４に取り付けられている支持アーム７をステップボルト６に取り付けることにより電柱ボックス１の取付作業が完了する。従って、その取付作業では、作業者は、電柱３の背面にまわらなくても電柱３の側方から作業を行うことができるため、たとえ電柱３の背面側に住宅の塀や壁が迫っていても支障なく取付作業を行うことができる。また、ボックス本体４の前面がステップボルト６，６よりも背面側に配置されているため、電柱３の前面側に突出するものがなく公衆の安全が阻害されることはない。
【００１１】
また、本発明に係る電柱ボックスにおいては、前記ボックス本体４と電柱３との間には、胴綱を巻回させることができる隙間ｓが形成されてもよい。このようにすれば、作業者が電柱に登る際に、胴綱を電柱３に巻回することができ、作業の安全性が確保される。
【００１２】
また、本発明に係る電柱ボックスにおいては、前記隙間ｓが安定に保持された状態で前記ボックス本体４が電柱３に固定されるべく、電柱３に当接する受け部材９をボックス本体４の前面に突設されてもよい。さらに、本発明に係る電柱ボックスにおいては、前記逃がし部８が、電柱３の曲面に沿うように平面視で略Ｒ状に形成されるのが好ましい。このようにすれば、逃がし部８によって電柱３の曲面に沿って隙間ｓを形成した状態でボックス本体４の側方への出幅を押えることができ、かつ、奥行きを稼ぐことができるため、収納スペースを広く確保することができる。
【００１３】
また、本発明に係る電柱ボックスにおいては、前記ボックス本体４が平面視で直角三角形状に形成され、前記逃がし部８が前記直角三角形の斜辺に形成されてもよい。このようにすれば、ボックス本体４の製作が容易となり、安価に提供することができる。
【発明の効果】
【００１４】
本発明の電柱ボックスは、電柱の背面側に対応する逃がし部を有し、その前面をステップボルトよりも背面側に配置して電柱に取り付けられるので、作業者は、電柱の背面にまわらなくても電柱の側方から取付作業を行うことができるため、たとえ電柱の背面側に住宅の塀や壁が迫っていても支障なく取付作業を行うことができる。また、ボックス本体が電柱に取り付けられた状態では、ボックス本体の前面がステップボルトよりも背面側に配置されているため、電柱の前面側に突出するものがなく公衆の安全が阻害されることはない。
【００１５】
また、ボックス本体と電柱の間に隙間が形成されるように取り付ければ、作業者が胴綱を電柱に巻回することができ作業の安全性が確保される。そして、逃がし部を、電柱の曲面に沿うように平面視で略Ｒ状に形成すれば、ボックス本体の側方への出幅を抑えることができ、かつ、奥行きを稼ぐことができるので、収納スペースを広く確保することができる。
【発明を実施するための最良の形態】
【００１６】
以下に、本発明の最良の実施の形態に係る電柱ボックスについて図面を参照しつつ詳細に説明する。
図１（ａ）は電柱に取り付けられた電柱ボックスの平面図、（ｂ）は電柱に取り付けられた電柱ボックスの斜視図である。図示のように、この電柱ボックス１は、背面側に住宅の塀や壁等２が迫っている路側に立設される電柱３の背面側に取り付けられ、箒や塵取り、ホース等の清掃用具や烏よけのネット等の環境保全用具類を収納するための収納スペースを内部に有するボックス本体４と、ボックス本体４の側方に開閉自在に取り付けられる扉５と、ボックス本体４と電柱３に突設されたステップボルト６，６とを接続するためにボックス本体に溶接等によって取り付けられる支持アーム７１（７），７２（７）と、を備えている。
【００１７】
ボックス本体４は、板金材を溶接等によって箱型に組立られて形成され、その前面側には、電柱３の曲面に沿うように平面視で略Ｒ状に形成された逃がし部８が形成されており、その逃がし部８を電柱３の背面側に対応させてボックス本体４の前面を、ステップボルト６，６よりも背面側に配置した状態で電柱３に取り付けられる。そして、電柱３とボックス本体４の間には、作業者が胴綱を巻回させることができる程度の隙間ｓが形成されている。また、図示の例では、電柱３に当接する受け部材９をボックス本体４の下部前面に突設しており、上述の隙間ｓが安定に保持された状態でボックス本体４が電柱３に固定されるようにしている。
【００１８】
このように構成される電柱ボックス１を電柱３に取り付けるには、まず、工具によりステップボルト６，６を取り外し、ボックス本体４に取り付けられた支持アーム７１，７２の先端に形成したボルト孔（図示省略）にステップボルト６，６を挿入して、ボックス本体４の下部前面に突設させた受け部材９を電柱３に当接させ、ステップボルト６，６を電柱３に形成されているボルト孔（図示省略）にねじ込んで締結すればよい。このような取付作業は、電柱３の背面側にまわらなくても電柱３の側方から行うことができるため、たとえ、電柱３の背面側に住宅の塀や壁等２が迫っていても容易に行える。
【００１９】
電柱３に取り付けられた状態では、ボックス本体４の前面がステップボルト６，６よりも背面側に配置されているため、電柱３の前面側に突出するものがなく公衆の安全が阻害されることはない。また、ボックス本体４と電柱３との間には、胴綱を巻回させることができる隙間ｓが形成されているため、作業者が電柱３に登る際の安全性が確保される。そして、逃がし部８が、電柱３の曲面に沿うように平面視で略Ｒ状に形成されているので電柱３との間に隙間ｓを形成した状態で側方への出幅を抑えることができ、かつ、奥行きを稼ぐことができるためボックス本体４内の収納スペースを広く確保することができる。
【００２０】
図２（ａ）〜（ｄ）は、その他の例を示し、図２（ａ）では、逃がし部８を平面視で略への字状に形成して、ボックス本体４の製作容易化を図っている。図２（ｂ）では、ボックス本体４を平面視で直角三角形状に形成し、逃がし部８を直角三角形の斜辺に形成している。このようにすれば、ボックス本体４の製作がさらに容易となり、安価に提供することができる。
【００２１】
また、図２（ｃ）では、図１（ａ）に示すボックス本体４を左右対称に形成してその上部を接続金具１０で接続して２つのボックス本体４，４を一体化している。このように、２つのボックス本体４，４を一体化した電柱ボックス１では、ボックス本体４，４内により一層広い収納スペースを確保することができる。なお、この例では、ボックス本体４の下部前面に突設させる略円弧状の受け部材９を左右に半割れ状に分割して、それぞれ左右のボックス本体４，４に取り付けている。
【００２２】
このボックス本体４，４同士を接続するには、前各実施の形態と同様に、支持アーム７，７をステップボルト６，６に固定した後、例えば、左右のボックス本体４，４の天板にそれぞれ上向きに突設したボルトに、接続金具１０に形成したボルト孔を嵌め込んで、両ボルトをナットで締結すればよく、この場合も電柱３の側方から取付作業を行うことができる。また、図２（ｄ）では、図２（ａ）に示すボックス本体４を左右対称に形成してその上部を接続金具１０で接続して２つのボックス本体４，４を一体化している。このような構成においても同様に広い収納スペースを確保することができる。
【００２３】
図３は、一方の支持アーム７（７１）を横方向にスライド可能に構成したもので、ボックス本体４の前面に横方向にガイド溝４ａを形成し、一方の支持アーム７（７１）をＬ字状に折曲して、その基部にガイド溝４ａに抜け止め状態で遊嵌する摺動子７ａを取り付けたものであり、取付対象となる電柱３の幅に応じて一方の支持アーム７（７１）の位置を適宜に調整してステップボルト６に固定できるようにしている。このように構成することで、径の異なる電柱にも取り付けられるようになる。
【００２４】
なお、本発明は、実施の形態に限定されることなく、発明の要旨を逸脱しない限りにおいて、適宜、必要に応じて、設計変更や改良等を行うのは自由であり、例えば、支持アーム７のステップボルト６への固定方法は、実施の形態のように、ステップボルト６の締結による他、支持アーム７の先端に、ステップボルト６に対して係合乃至は係止、嵌合等が可能な接続部を設けて、その接続部を別途ボルト締結等によって固定できるようにしてもよい。このようにすれば、ステップボルト６を取り外すことなく、ボックス本体４の取り付けが可能となる。また、支持アーム７は、実施の形態では一対設けているが、ボックス本体４が小さい場合には何れか一方のみでもよく、また、ボックス本体４が大きくなる場合には、３つ設けてもよい。要するに、支持アーム７は、ボックス本体４とステップボルト６とを接続できればよく、その形状や構成の如何を問わない。
【図面の簡単な説明】
【００２５】
【図１】（ａ）は本発明の実施の形態に係る電柱ボックスが電柱に取り付けられた状態の平面図、（ｂ）は斜視図である。
【図２】（ａ）〜（ｄ）は同電柱ボックスのその他の例を示す平面図である。
【図３】同スライド自在な支持アームを備えた電柱ボックスの一部断面平面図である。
【符号の説明】
【００２６】
１…電柱ボックス、３…電柱、４…ボックス本体、５…扉、６…ステップボルト、７…支持アーム、８…逃がし部、ｓ…隙間
【図１】
0004435060.tif 000002
【図２】
0004435060.tif 000003
【図３】
0004435060.tif 000004